(57)【要約】【課題】  撮像表示装置を使用しない場合や、携帯する場合には表示部の表示画面並びに撮像レンズを保護できながら、撮影する場合に、右手だけでなく、左手で持った場合でも表示画面を良好に視認できて、良好な利便性を得られる撮像表示装置を提供する。【解決手段】  本体部９の上端部に第１の回動軸８を設け、撮像手段３を有する撮像部４を、第１の回動軸８を介して、回動自在に支持し、この撮像部４に、第１の回動軸８とその軸心方向が直交するように第２の回動軸１０を設け、この第２の回動軸１０を介して、表示画面５を有する表示部６を取り付け、撮像部４は、本体部９内に収納された収納姿勢と、収納姿勢から第１の回動軸８を介して撮像部４が回動されることで撮像部４が本体部９に対して一側方、上方側、他側方の何れの側でも外部に露出する使用姿勢とにわたって切換自在に構成した。【選択図】  図５
2006197271.tif 000002
【特許請求の範囲】
【請求項１】
本体部の上端部に第１の回動軸を設け、撮像手段を有する撮像部を、前記第１の回動軸を介して、本体部により回動自在に支持し、この撮像部に、前記第１の回動軸とその軸心方向が直交するように第２の回動軸を設け、この第２の回動軸を介して、表示画面を有する表示部を取り付け、
前記撮像部は、本体部内に収納された収納姿勢と、収納姿勢から前記第１の回動軸を介して撮像部が回動されることで撮像部が本体部に対して一側方、上方側、他側方の何れの側でも外部に露出する使用姿勢とにわたって切換自在とされ、
前記表示部は、表示画面が本体部に重ねられた状態で収納された収納姿勢と、撮像部とともに表示画面が外部に露出された使用姿勢とにわたって切り換え自在とされた撮像表示装置。
【請求項２】
収納姿勢において本体部で覆われる撮像部の両端面から外部を臨む姿勢で、それぞれ撮像手段を設け、これらの第１の撮像手段と第２の撮像手段とにより、互いに略反対方向の撮像対象物を使用姿勢で撮像可能に構成した請求項１記載の撮像表示装置。
【請求項３】
撮像部と表示部とが一体となるように構成され、これらの撮像部と表示部とからなる撮像表示部が、本体部に対して、第１の回動軸を介して、一側方、上方側、他側方の何れの側でも外部に露出可能に構成した請求項１または２に記載の撮像表示装置。
【発明の詳細な説明】
【技術分野】
【０００１】
本発明は、例えば半導体ムービーカメラやデジタルスチルカメラ等のように、撮像部と表示部とを備えた撮像表示装置に関する。
【背景技術】
【０００２】
半導体ムービーカメラやデジタルスチルカメラ等の小型の撮像装置においては、映像を表示する液晶表示画面（ＬＣＤ）が備えられているものが近年、主流となっている。この液晶の表示画面は、撮像表示装置の本体部において、いつでも見ることが可能なように常に外部へ露出して配置されているものが多い。
【０００３】
しかしながら、前記のような撮像表示装置では、表示画面が常に外部に露出しているため、表示画面が汚れたり、傷付き易かったりする不都合があった。
このような不都合に対処する構成として、図１２〜図１６に示すように、撮像レンズ５１および撮像素子（図示せず）などからなる撮像手段が設けられた撮像部５２ａと、表示画面５３が設けられた表示部５２ｂとを、撮像表示部５２として一体化し、この撮像表示部５２を、本体部５４に対して回動可能に構成して、表示画面５３を保護可能に構成した撮像表示装置５０がある（特許文献１参照）。
【０００４】
撮像表示部５２の撮像部５２ａにおける表示部５２ｂ寄りの位置には、本体部５４に対して回動自在に第１の回転軸５５が取り付けられ、この第１の回転軸５５を中心として本体部５４に対して撮像表示部５２が回動可能に支持されている。また、撮像表示部５２において、撮像部５２ａに対して表示部５２ｂが、第２の回転軸５６を介して回転自在に支持されている。そして、図１２、図１３に示す状態では、撮像表示部５２の撮像部５２ａが本体部５４の上部枠５４ａ内に収納されるとともに、撮像表示部５２における表示画面５３の面が、本体部５４に重ねられ、これにより、表示画面５３が本体部５４に対面して覆われて保護されるようになっている。
【０００５】
また、撮像する際には、図１４に示すように、第１の回転軸５５を中心として、撮像表示部５２をＦ方向に９０度回動した後、第２の回転軸５６を中心として、表示部５２ｂをＧ方向または逆Ｇ方向に回動させることで、図１５に示すように、表示画面５３を見ながら、一般の撮像対象物を撮像したり、図１６に示すように、自分やその近傍箇所を撮像したりすることができるように構成されている。
【０００６】
この構成によれば、図１２、図１３に示すように、撮像表示装置５０を使用しない場合や携帯する場合には、表示画面５３が本体部５４に対面して覆われて保護されるとともに、さらに、撮像レンズ５１が本体部５４の上部枠５４ａにより覆われて保護される利点もある。なお、図１２〜図１６における５７は、各種メニューを選択したり、再生モード時の操作や再生ファイルなどの選択を行う操作部（いわゆるジョグボール）、５８は表示画面の輝度を上げる操作ボタンである。
【特許文献１】特開２００４−２０７８５９号公報
【発明の開示】
【発明が解決しようとする課題】
【０００７】
しかしながら、前記従来構成の撮像表示装置５０では、一般撮像時には、撮像（使用）する人にとって、表示画面５３が本体部５４の左側しか配置できない構造であるため、左手で本体部５４を持つと、左手を右に寄せない限り、目で見た際に表示画面５３が本体部５４で隠れてしまって、表示画面５３が見難く、左利きの使用者などにとって使い難いという課題があった。
【０００８】
本発明は上記課題を解決するもので、撮像表示装置を使用しない場合や、携帯する場合には表示部の表示画面並びに撮像レンズを保護できながら、撮影する場合に、右手だけでなく、左手で持った場合でも表示画面を良好に視認することができて、良好な利便性を得ることができる撮像表示装置を提供することを目的とする。
【課題を解決するための手段】
【０００９】
上記問題や課題を解決するために、本発明の撮像表示装置は、本体部の上端部に第１の回動軸を設け、撮像手段を有する撮像部を、前記第１の回動軸を介して、本体部により回動自在に支持し、この撮像部に、前記第１の回動軸とその軸心方向が直交するように第２の回動軸を設け、この第２の回動軸を介して、表示画面を有する表示部を取り付け、前記撮像部は、本体部内に収納された収納姿勢と、収納姿勢から前記第１の回動軸を介して撮像部が回動されることで撮像部が本体部に対して一側方、上方側、他側方の何れの側でも外部に露出する使用姿勢とにわたって切換自在とされ、前記表示部は、表示画面が本体部に重ねられた状態で収納された収納姿勢と、撮像部とともに表示画面が外部に露出された使用姿勢とにわたって切り換え自在とされたものである。
【００１０】
このように、本体部と撮像部とを連結する第１の回動軸を本体部の上端部に配設したことにより、撮像部を本体部に対して回動させて、撮像部および表示部を、本体部に対して、右側に突出した姿勢、上側に突出した姿勢、左側に突出した姿勢の、何れの姿勢にもすることができ、これによって、左手や右手の何れの手で持った場合でも、表示部を良好に見ながら、撮像することができる。
【００１１】
また、本発明は、収納姿勢において本体部で覆われる撮像部の両端面から外部を臨む姿勢で、それぞれ撮像手段を設け、これらの第１の撮像手段と第２の撮像手段とにより、互いに略反対方向の撮像対象物を使用姿勢で撮像可能に構成したものである。
【００１２】
これにより、本体部を持ち変えなくても自分撮りを行うことができるとともに、自分以外の一般撮影対象と、自分などの撮影対象とを同時に撮影させたり、表示させたりすることも可能となる。
【発明の効果】
【００１３】
以上のように本発明によれば、収納姿勢である場合には表示画面および撮像部が保護されて、傷付いたり汚れたりすることを防止できながら、本体部と撮像部とを連結する第１の回動軸を本体部の上端部に配設したことにより、撮像部および表示部を、本体部に対して、右側に突出した姿勢、上側に突出した姿勢、左側に突出した姿勢の、何れの姿勢にもすることができ、これによって、左手や右手の何れの手で持った場合でも、表示部を良好に見ることができて、利便性が向上する。また、収納姿勢で略板形状体となるように構成することも可能であり、この場合には、撮像表示装置全体がデザイン性に優れた薄型の略板形状体となる。
【００１４】
また、収納姿勢において本体部で覆われる撮像部の両端面から外部を臨む姿勢で、それぞれ撮像手段を設けたことにより、本体部を持ち変えなくても自分撮りを行うことができるとともに、自分以外の一般撮影対象と、自分などの撮影対象とを同時に撮影させたり、表示させたりすることも可能となり、これにより、風景を写しながら、自分も撮像できるなど、異なる２つの撮像対象を同時に撮像ならびに表示させることができて、多彩な撮像スタイルが可能となり、いままでにない楽しみ方などを経験することもできる。
【発明を実施するための最良の形態】
【００１５】
以下、本発明の実施の形態を図１〜図１１に基づいて説明する。図１〜図４は、本発明の実施の形態に係る撮像表示装置の収納姿勢の状態を示すもので、図１は左側面図、図２は平面図、図３は斜め後方から見た斜視図である。また、図４〜図７は、撮像表示装置に設けられた撮像表示部を収納姿勢から回動させた状態を示すもので、図４は背面図、図５〜図７はそれぞれ斜め後方から見た斜視図である。また、図９、図１０も撮像表示装置に設けられた撮像表示部を収納姿勢から回動させた状態を示すもので、図９は正面図、図１０はいわゆる自分撮りの撮影時などの状態を示す斜視図である。また、図１１は同撮像表示装置の鑑賞時などの状態を示す斜視図である。なお、以下の説明においては、理解し易いよう、図１〜図３などに示すように、撮像表示装置の表示部が上方に配置され、前側に第１の撮像手段が向けられている場合を説明するが、実際にこの撮像表示装置を使用する場合はこの配置に限らないことはもちろんである。
【００１６】
図１〜図７などに示すように、本発明の実施の形態に係る撮像表示装置１は、後述する第１、第２の撮像手段２、３を有する撮像部４と、液晶表示画面（ＬＣＤ）などの表示画面５が設けられた表示部６とを、撮像表示部７として一体化し、この撮像表示部７を、第１の回動軸８を介して、本体部９に対して回動可能に構成している。ここで特に、第１の回動軸８は、本体部９の上端部に、前後方向に略水平に延びる姿勢で配設され、これにより、撮像表示部７は、本体部９に対して、第１の回動軸８を中心として、図４、図９などに示すように、Ａ方向に０度から略２７０度の範囲内で回動可能である。そして、図１〜図３に示すように、収納姿勢では、撮像部４が、本体部９の上部に設けられた前側保持腕部９ａと後側保持腕部９ｂとの間に収納されるとともに、本体部９における略板状長方形形状の下部９ｃの左側面に撮像部４の表示画面５が重ねられ、これにより、収納姿勢では撮像表示装置１全体が、凹凸の少ない略板状長方形の形状となるように構成されている。
【００１７】
なお、第１の回動軸８は、本体部９における前側保持腕部９ａと後側保持腕部９ｂとの各上端部同士を前後方向に掛け渡すように配設されており、この第１の回動軸８を、撮像部４に対して回転自在に嵌合させた状態で本体部９側に固定したり、その反対に、撮像部４側に固定して、本体部９の前側保持腕部９ａや後側保持腕部９ｂに対して回転自在に嵌合させたりして構成されている。また、８ａは第１の回動軸８の軸心である。さらに、図示しないが、第１の回動軸８の近傍には、本体部９に対する撮像部４の回動姿勢を検知する第１の姿勢検知センサが設けられており、本体部９に対する撮像部４の回動姿勢に応じて、記録画像の向きや表示画面５内の情報表示用文字の向きを自動的に調整するようになっている。また、本体部９には記録媒体（図示せず）が内蔵されており、この記録媒体に対して、撮像画像などが記録され、また、記録媒体に記録された情報が再生される。また、記録媒体には、静止画像や動画、音楽などの各種情報を記録ならびに再生可能に構成されている。
【００１８】
図１〜図３などに示すように、撮像部４の下部には、その前面側箇所に、第１の撮像レンズ２ａおよび第１の撮像素子（図示せず）などを有する第１の撮像手段２が設けられ、また、後面側箇所に、第２の撮像レンズ３ａおよび第２の撮像素子（図示せず）などを有する第２の撮像手段３が設けられている。そして、第１の撮像手段２の第１の撮像レンズ２ａが撮像部４から前方に臨むように配設され、第２の撮像手段３の第２の撮像レンズ３ａが撮像部４から後方に臨むように配設されている。
【００１９】
また、撮像部４の下部中央から表示部６の上部中央にわたって延びるように第２の回動軸１０が設けられている。この第２の回動軸１０は、収納姿勢で略上下方向に沿い、第１の回動軸８に対して直交する姿勢で配設され、この第２の回動軸１０を介して、表示部６が撮像部４に対して回転自在に支持されている。そして、図４、図９などに示すように、撮像表示部７を収納姿勢から回動させて本体部９から表示部６を離反させた状態では、第２の回動軸１０を中心として表示部６を撮像部４に対して自由に回動できるようになっている。なお、図１などにおける、１０ａは第２の回動軸１０の軸心である。また、第２の回動軸１０は、撮像部４側に固定して、表示部６に対して回転自在に嵌合させたり、その反対に、表示部６側に固定して、撮像部４に対して回転自在に嵌合させたりして構成されている。さらに、図示しないが、第２の回動軸１０の近傍には、撮像部４に対する表示部６の回動姿勢を検知する第２の姿勢検知センサが設けられており、撮像部４に対する表示部６の回動姿勢に応じて、記録画像の向きや表示画面５内の情報表示用文字の向きを自動的に調整するようになっている。
【００２０】
図１、図３などに示すように、表示部６と表示画面５とはその長辺と短辺とが同じ向きになるように配置された略長方形の形状とされ、収納姿勢において、表示部６の長辺と、本体部９の長辺とが同方向で、平面視して略同一面となるように構成されている。また、表示部６と本体部９とにおける第２の回動軸１０が設けられていない側の短辺（下辺部）も、同方向で、平面視して略同一面となるように構成されている。
【００２１】
図３〜図７などに示すように、本体部９における後面部には、各種のメニュー操作を行う操作ボタン１１ａ、１１ｅや、撮像時のシャッター操作を行う操作ボタン１１ｂ、ズームならびにワイド操作を行う操作ボタン（および操作レバー）１１ｃ、各種の情報を表示させる操作ボタン１１ｄなどが設けられている。また、図１、図３などに示すように、撮像部４における収納姿勢で左側面となる箇所には、再生時の選択動作やファイル選択動作を行う操作部（いわゆるジョグボール）１１ｆなどが設けられている。図９、図１０などに示すように、本体部９の前側保持腕部９ａにおける前面部分には、フラッシュ発光部１２が設けられている。さらに、この撮像表示装置１は、音楽などの再生機能も有しており、本体部９の下部前面には、この種の音楽の再生、早送り、停止などを行うための操作ボタン１４ａ〜１４ｄも設けられている。
【００２２】
上記構成によれば、収納姿勢である場合には、図１〜図３に示すように、撮像表示装置１全体がデザイン性に優れた薄型の略板形状体となる。そして、このように収納姿勢である場合には、表示部６の表示画面５が本体部９に重ねられて、外部に露出しない状態であるので、表示画面５が保護されて、傷付いたり汚れたりすることが防止される。また、各撮像手段２、３の撮像レンズ２ａ，３ａが本体部９の前側保持腕部９ａと後側保持腕部９ｂとにより覆われて保護される利点もある。
【００２３】
撮影を行う際には、図４に示すように、前記収納姿勢から、まず、撮像表示部７全体を第１の回動軸８を中心にＡ方向に回動させる。
この際に、右手で本体部９を持ちながら横長の画面構成で撮像する場合には、撮像表示部７を、第１の回動軸８を中心として、収納姿勢から略９０度、Ａ方向に回動させ（図４の実線部を参照）、この後、表示部６が見易い角度となるように、第２の回動軸１０を中心に、例えば略８０度〜１００度、Ｂ方向に回動させる。これにより、撮像手段２、３による撮像姿勢が横長の撮像画面に対応した使用姿勢となるとともに、図５に示すように、表示画面５が、本体部９よりも左側、すなわち、撮像している人にとって身体の中央寄りに位置するので、表示画面５を良好に見ながら撮像操作を行うことができる。したがって、例えば、右利きの人が、本体部９を持ちながら撮像したり、操作したりする場合でも、本体部９によって、撮像している人の視線に関して表示画面５が隠れたりすることがなく、表示画面５を良好に見ながら撮像操作を行うことができる。
【００２４】
また、左手で本体部９を持ちながら横長の画面構成で撮像する場合には、撮像表示部７を、第１の回動軸８を中心として、収納姿勢から略２７０度、Ａ方向に回動させ、この後、表示部６が見易い角度となるように、第２の回動軸１０を中心に、例えば略８０度〜１００度、Ｃ方向に回動させる。これにより、撮像手段２、３による撮像姿勢が横長の撮像画面に対応した使用姿勢となるとともに、図６に示すように、表示画面５が、本体部９よりも右側、すなわち、撮像している人にとって身体の中央寄りに配置されるので、表示画面５を良好に見ながら撮像操作を行うことができる。したがって、例えば、左利きの人が、本体部９を持ちながら撮像したり、操作したりする場合でも、本体部９によって、撮像している人の視線に関して表示画面５が隠れたりすることがなく、表示画面５を良好に見ながら撮像操作を行うことができる。
【００２５】
また、縦長の画面構成で撮像する場合には、撮像表示部７を、第１の回動軸８を中心として、収納姿勢から略１８０度、Ａ方向に回動させ、この後、表示部６が見易い角度となるように、第２の回動軸１０を中心に、例えば略９０度、表示画面５が後方を向くように回動させる。これにより、撮像手段２、３による撮像姿勢が縦長の撮像画面に対応した使用姿勢となるとともに、図７に示すように、表示画面５が本体部９の真上に配置されるので、表示画面５を良好に見ながら撮像操作を行うことができる。したがって、右手または左手の何れの手で本体部９を持った場合でも、表示画面５を良好に見ながら撮像操作を行うことができる。
【００２６】
なお、本体部９に対する撮像部４の相対位置や撮像部４に対する表示部５の相対位置は、前記した第１、第２の姿勢検知センサにより検知され、図５、図６、図７の各姿勢における撮像画像に対応した向きで記録、表示される。
【００２７】
以上のように、本体部９と撮像部４とを連結する第１の回動軸８を本体部９の上端部に配設したことにより、撮像部４および表示部６を、本体部９に対して、正面視して右側に突出した姿勢（撮像している人にとって向かって左側に突出する姿勢：図５参照）、上側に突出した姿勢（図７参照）、正面視して左側に突出した姿勢（撮像している人にとって向かって右側に突出する姿勢：図６参照）の、何れの姿勢にもすることができ、しかも、どのような使用姿勢（撮像の際の姿勢）で、また、何れの手で持って撮像する場合でも、表示画面５を良好に見ながら撮像操作を行うことができ、極めて良好な視認性並びに利便性を得ることができる。また、何れの場合においても、操作ボタン１１ａ〜１１ｅを良好に操作できるので、操作性も良好である。
【００２８】
また、本発明の実施の形態に係る撮像表示装置１においては、撮像部４の前方を撮像する第１の撮像手段２と、撮像部４の後方を撮像する第２の撮像手段３とが設けられているとともに、これらの撮像手段２、３により、前方と後方とに外部を臨む姿勢で配設されているため、第１の撮像手段２だけを用いて前方の撮像対象物（一般撮像対象物と称す）を撮像したり、第２の撮像手段３だけを用いて後方の撮像対象物（自分やその近傍箇所の撮像物）を撮像したり（いわゆる自分撮り）できるだけでなく、さらには、図８に概略的に示すように、第１の撮像手段２で撮像している撮像画像を、撮像画面５における右下領域５ｂ以外の領域５ａに全体的に表示させると同時に、第２の撮像手段３で撮像している撮像画像を、撮像画面５における右下領域５ｂに部分的に表示させ、これらの画像をそれぞれ並行して記録したり、重ね合わせて記録したりすることができるようになっている。なお、この際に、両方の撮像画像とも動画を撮ったり、静止画を撮ったりすることができるが、これら以外でも、一方を動画で撮像し、他方を静止画で撮像して表示させることも可能である。
【００２９】
これにより、本体部９を持ち変えなくても自分撮りを行うことができるとともに、自分以外の一般撮影対象と、自分などの撮影対象とを同時に撮影させたり、表示させたりすることも可能となり、利便性がさらに向上する。さらに、風景を写しながら、自分も撮像できるなど、異なる２つの撮像対象を同時に撮像ならびに表示させることができるので、多彩な撮像スタイルが可能となり、いままでにない楽しみ方などを経験することもできる。なお、上記とは逆に、第１の撮像手段２で撮像している撮像画像を、撮像画面５における右下領域５ｂに表示させると同時に、第２の撮像手段３で撮像している撮像画像を、撮像画面５における右下領域５ｂ以外の領域５ａに全体的に表示させ、これらの画像をそれぞれ並行して記録したり、重ね合わせて記録したりすることができるように、切換自在に構成したり、左右の両側に並列的に表示させることができるように構成したりしてもよい。
【００３０】
また、第１の撮像手段２が、第２の撮像手段３と比較して機能的に優れており、例えば、第１の撮像手段２だけがズーム機能を有していたり、撮像画素数が多かったりして、メインの撮像手段として用いられる構成である場合には、この第１の撮像手段２を用いて、いわゆる自分撮りをすることもできる。
【００３１】
この際でも、持ちやすい手で本体部９を持ちながら、図９に示すように、撮像表示部７を、第１の回動軸８を中心として、収納姿勢から略９０度〜２７０度の範囲内で、Ｄ方向に回動させ、この後、表示部６が見易い角度となるように、第２の回動軸１０を中心に、例えば略８０度〜１００度Ｅ方向に回動させる。これにより、図９、図１０に示すように、撮像画面５を良好に見ながら、第１の撮像手段２によりいわゆる自分撮りを行うことができて、良好な利便性や操作性を得ることができる。
【００３２】
また、撮像済みの撮像画像など、既に記録されている撮像情報を鑑賞する際には、図４において実線で示すように、撮像表示部７を、第１の回動軸８を中心として、収納姿勢から例えば略９０度、Ａ方向に回動させ（図４の実線部を参照）、この後、表示部６を、第２の回動軸１０を中心に、１８０度回動させ、この後、撮像表示部７を、第１の回動軸８を中心として、反Ａ方向に回動させて、本体部９に重ねる。これにより、図１１に示すように、表示画面５が外部に露出した使用姿勢となる一方で、撮像表示部７が本体部９に重ねられた姿勢となり、撮像表示装置１を机上に置いたり、手に持ったりした状態でも表示画面５を良好に見ながら、画像の鑑賞などを行うことができる。
【００３３】
なお、上記実施の形態では、撮像部４に第１の撮像手段２だけでなく、第２の撮像手段３も設けられている場合を述べたが、これに限るものではなく、第１の撮像手段２だけを有する撮像表示装置に上記第１の回動軸８および第２の回動軸１０の配置構成を適用することも可能である。
【産業上の利用可能性】
【００３４】
本発明は、液晶表示画面等の表示部を備えた半導体ムービーカメラやデジタルスチルカメラ等に適用することができる。
【図面の簡単な説明】
【００３５】
【図１】本発明の実施の形態に係る撮像表示装置の収納姿勢の状態を示す側面図
【図２】同撮像表示装置の収納姿勢の状態を示す平面図
【図３】同撮像表示装置の収納姿勢の状態を示す斜視図
【図４】同撮像表示装置の収納姿勢から回動させた状態を示す背面図
【図５】同撮像表示装置の使用姿勢の状態を示す斜視図
【図６】同撮像表示装置の他の使用姿勢の状態を示す斜視図
【図７】同撮像表示装置のさらに他の使用姿勢の状態を示す斜視図
【図８】同撮像表示装置の、第１、第２の撮像手段で撮像している撮像画像を同時に表示させた状態を概略的に示す図
【図９】同撮像表示装置の、いわゆる自分撮りの撮影状態を示す正面図
【図１０】同撮像表示装置の、いわゆる自分撮りの撮影状態を示す斜視図
【図１１】同撮像表示装置の、画像鑑賞時などの状態を示す斜視図
【図１２】（ａ）〜（ｄ）は従来の撮像表示装置の収納姿勢における正面図、左側面図、背面図および右側面図
【図１３】同従来の撮像表示装置の収納姿勢における斜視図
【図１４】同従来の撮像表示装置の撮像表示部を水平状態まで回動させた状態を示す正面図
【図１５】同従来の撮像表示装置の撮像表示部の水平状態から表示部を回動させた状態を示す斜視図
【図１６】同従来の撮像表示装置の撮像表示部の水平状態から表示部を回動させた状態を示す斜視図
【符号の説明】
【００３６】
１        撮像表示装置
２        第１の撮像手段
３        第２の撮像手段
４        撮像部
５        表示画面
６        表示部
７        撮像表示部
８        第１の回動軸
９        本体部
１０      第２の回動軸
【図１】
2006197271.tif 000003
【図２】
2006197271.tif 000004
【図３】
2006197271.tif 000005
【図４】
2006197271.tif 000006
【図５】
2006197271.tif 000007
【図６】
2006197271.tif 000008
【図７】
2006197271.tif 000009
【図８】
2006197271.tif 000010
【図９】
2006197271.tif 000011
【図１０】
2006197271.tif 000012
【図１１】
2006197271.tif 000013
【図１２】
2006197271.tif 000014
【図１３】
2006197271.tif 000015
【図１４】
2006197271.tif 000016
【図１５】
2006197271.tif 000017
【図１６】
2006197271.tif 000018